(57)【要約】【課題】  動き検出装置において斜め成分を多く含んだ映像信号が入力された場合、動きのある映像と判断してしまい、動き検出装置を用いた輝度信号／色信号分離装置において、輝度信号成分が色信号成分に漏れ込むことによりクロスカラーが発生する。【解決手段】  フレーム間の映像信号の差分から映像信号のサンプル毎に動き量を検出する動き検出回路と、ライン間の映像信号から前後ラインのサンプル点を遅延回路により斜め方向に遅延させて斜め方向の輝度成分を検出する斜め相関検出回路と、斜め相関検出回路からの出力に応じて動き判定レベルを切り換えて動きを判定する動き判定回路と、動き判定回路の動き判定結果に応じてライン間ＹＣ分離の出力とフレーム間ＹＣ分離の出力とを切り換える切り換え回路とを備える。【選択図】  図１
2005057508.tif 000002
【特許請求の範囲】
【請求項１】
コンポジット映像信号の斜め方向における相関（斜め相関）を検出する斜め相関検出部と、
前記コンポジット映像信号のフレーム間差分に基づいて動き量を検出する動き検出部と、
前記動き検出部によって検出された動き量に基づいて前記コンポジット映像信号における動きの有無を判定する動き判定部とを備え、
前記動き判定部は、
前記斜め相関検出部による斜め相関の検出結果を考慮して前記動きの有無を判定する、
ことを特徴とする動き検出装置。
【請求項２】
請求項１において、
前記動き判定部は、
前記斜め相関検出部による斜め相関の検出結果に応じたレベルのしきい値を設定し、前記動き検出部によって検出された動き量と前記しきい値とを比較することによって前記動きの有無を判定する、
ことを特徴とする動き検出装置。
【請求項３】
請求項１において、
前記動き判定部は、
前記動き検出部によって検出された動き量を前記斜め相関検出部による検出結果に応じて補正し、補正後の動き量と所定のしきい値とを比較することによって前記動きの有無を判定する、
ことを特徴とする動き検出装置。
【請求項４】
請求項１において、
前記動き判定部は、
前記動き検出部によって検出された動き量が所定のしきい値よりも大きいときは「動きあり」と判定し、前記動き量が前記所定のしきい値よりも小さいときは前記斜め相関検出部による斜め相関の検出結果に従って動きの有無を判定する、
ことを特徴とする動き検出装置。
【請求項５】
請求項１において、
前記動き検出部は、
前記コンポジット映像信号の１フレーム間差分に基づいて動き量を検出する第１の動き検出回路と、
前記コンポジット映像信号の２フレーム間差分に基づいて動き量を検出する第２の動き検出回路とを含む、
ことを特徴とする動き検出装置。
【請求項６】
請求項１において、
前記動き検出部は、
ライン相関を利用した輝度信号／色信号分離によって前記コンポジット映像信号から抽出された輝度信号の１フレーム間差分に基づいて動き量を検出する第１の動き検出回路と、
前記ライン相関を利用した輝度信号／色信号分離によって前記コンポジット映像信号から抽出された色信号の１フレーム間差分に基づいて動き量を検出する第２の動き検出回路とを含む、
ことを特徴とする動き検出装置。
【請求項７】
請求項５または６において、
前記動き判定部は、
前記第１の動き検出回路によって検出された動き量に基づいて前記コンポジット映像信号における動きの有無を判定する第１の動き判定回路と、
前記第２の動き検出回路によって検出された動き量に基づいて前記コンポジット映像信号における動きの有無を判定する第２の動き判定回路とを含む、
ことを特徴とする動き検出装置。
【請求項８】
請求項７において、
前記第１および／または第２の動き判定回路は、
前記斜め相関検出部による斜め相関の検出結果を考慮して前記動きの有無を判定する、
ことを特徴とする動き検出装置。
【請求項９】
請求項５または６において、
前記動き判定部は、
前記斜め相関検出部による斜め相関の検出結果に応じて第１の判定と第２の判定とを切り換え、
前記第１の判定は、
前記第１の動き検出回路によって検出された動き量に基づいて前記動きの有無を判定するものであり、
前記第２の判定は、
前記第１の動き検出回路によって検出された動き量と前記第２の検出回路によって検出された動き量とに基づいて前記動きの有無を判定するものである、
ことを特徴とする動き検出装置。
【請求項１０】
ライン相関を利用してコンポジット映像信号から第１の輝度信号と第１の色信号とを抽出する第１の輝度信号／色信号分離部と、
フレーム相関を利用して前記コンポジット映像信号から第２の輝度信号と第２の色信号とを抽出する第２の輝度信号／色信号分離部と、
請求項１から９のいずれか１つに記載の動き検出装置と、
前記第１の輝度信号と前記第２の輝度信号とを前記動き検出装置の動き判定部による判定結果に応じて合成して第３の輝度信号として出力し、前記第１の色信号と前記第２の色信号とを前記動き検出装置の動き判定部による判定結果に応じて合成して第３の色信号として出力する切換部とを備える、
ことを特徴とする輝度信号／色信号分離装置。
【請求項１１】
コンポジット映像信号の現フレームのライン相関を利用して第１の輝度信号と第１の色信号とを抽出する第１の輝度信号／色信号分離部と、
前記コンポジット映像信号の前フレームのライン相関を利用して第２の輝度信号と第２の色信号とを抽出する第２の輝度信号／色信号分離部と、
請求項６から９のいずれか１つに記載の動き検出装置と、
前記第１の輝度信号と前記第２の輝度信号とを前記動き検出装置の動き判定部による判定結果に応じて合成して第３の輝度信号として出力し、前記第１の色信号と前記第２の色信号とを前記動き検出装置の動き判定部による判定結果に応じて合成して第３の色信号として出力する切換部とを備える、
ことを特徴とする輝度信号／色信号分離装置。
【請求項１２】
ライン相関を利用してコンポジット映像信号のノイズを低減する第１のノイズ低減部と、
フレーム相関を利用して前記コンポジット映像信号のノイズを低減する第２のノイズ低減部と、
請求項１から９のいずれか１つに記載の動き検出装置と、
前記第１のノイズ低減部により得られた映像信号と前記第２のノイズ低減部により得られた映像信号とを前記動き検出装置の動き判定部による判定結果に応じて合成して出力する切換部とを備える、
ことを特徴とするノイズ低減装置。
【請求項１３】
コンポジット映像信号の斜め方向における相関（斜め相関）を検出するステップ（ａ）と、
前記コンポジット映像信号のフレーム間差分に基づいて動き量を検出するステップ（ｂ）と、
前記ステップ（ｂ）によって検出された動き量に基づいて前記コンポジット映像信号における動きの有無を判定するステップ（ｃ）とを備え、
前記ステップ（ｃ）では、
前記ステップ（ａ）による斜め相関の検出結果を考慮して前記動きの有無を判定する、
ことを特徴とする動き検出方法。
【請求項１４】
請求項１３において、
前記ステップ（ｃ）では、
前記ステップ（ａ）による斜め相関の検出結果に応じたレベルのしきい値を設定し、前記ステップ（ｂ）によって検出された動き量と前記しきい値とを比較することによって前記動きの有無を判定する、
ことを特徴とする動き検出方法。
【請求項１５】
請求項１３において、
前記ステップ（ｃ）では、
前記ステップ（ｂ）によって検出された動き量を前記ステップ（ａ）による検出結果に応じて補正し、補正後の動き量と所定のしきい値とを比較することによって前記動きの有無を判定する、
ことを特徴とする動き検出方法。
【請求項１６】
請求項１３において、
前記ステップ（ｃ）では、
前記ステップ（ｂ）によって検出された動き量が所定のしきい値よりも大きいときは「動きあり」と判定し、前記動き量が前記所定のしきい値よりも小さいときは前記ステップ（ａ）による斜め相関の検出結果に従って動きの有無を判定する、
ことを特徴とする動き検出方法。
【請求項１７】
請求項１３において、
前記ステップ（ｂ）は、
前記コンポジット映像信号の１フレーム間差分に基づいて動き量を検出するステップ（ｄ）と、
前記コンポジット映像信号の２フレーム間差分に基づいて動き量を検出するステップ（ｅ）とを含む、
ことを特徴とする動き検出方法。
【請求項１８】
請求項１３において、
前記ステップ（ｂ）は、
ライン相関を利用した輝度信号／色信号分離によって前記コンポジット映像信号から抽出された輝度信号の１フレーム間差分に基づいて動き量を検出するステップ（ｄ）と、
前記ライン相関を利用した輝度信号／色信号分離によって前記コンポジット映像信号から抽出された色信号の１フレーム間差分に基づいて動き量を検出するステップ（ｅ）とを含む、
ことを特徴とする動き検出方法。
【請求項１９】
請求項１７または１８において、
前記ステップ（ｃ）は、
前記ステップ（ｄ）によって検出された動き量に基づいて前記コンポジット映像信号における動きの有無を判定するステップ（ｆ）と、
前記ステップ（ｅ）によって検出された動き量に基づいて前記コンポジット映像信号における動きの有無を判定するステップ（ｇ）とを含む、
ことを特徴とする動き検出方法。
【請求項２０】
請求項１９において、
前記ステップ（ｆ）および／または（ｇ）では、
前記ステップ（ａ）による斜め相関の検出結果を考慮して前記動きの有無を判定する、
ことを特徴とする動き検出方法。
【請求項２１】
請求項１７または１８において、
前記ステップ（ｃ）では、
前記ステップ（ａ）による斜め相関の検出結果に応じて第１の判定と第２の判定とを切り換え、
前記第１の判定は、
前記ステップ（ｄ）によって検出された動き量に基づいて前記動きの有無を判定するものであり、
前記第２の判定は、
前記ステップ（ｄ）によって検出された動き量と前記ステップ（ｅ）によって検出された動き量とに基づいて前記動きの有無を判定するものである、
ことを特徴とする動き検出方法。
【請求項２２】
ライン相関を利用してコンポジット映像信号から第１の輝度信号と第１の色信号とを抽出するステップ（ｈ）と、
フレーム相関を利用して前記コンポジット映像信号から第２の輝度信号と第２の色信号とを抽出するステップ（ｉ）と、
請求項１３から２１のいずれか１つに記載の動き検出方法と、
前記第１の輝度信号と前記第２の輝度信号とを前記動き検出方法のステップ（ｃ）による判定結果に応じて合成して第３の輝度信号として出力し、前記第１の色信号と前記第２の色信号とを前記動き検出方法のステップ（ｃ）による判定結果に応じて合成して第３の色信号として出力するステップ（ｊ）とを備える、
ことを特徴とする輝度信号／色信号分離方法。
【請求項２３】
コンポジット映像信号の現フレームのライン相関を利用して第１の輝度信号と第１の色信号とを抽出するステップ（ｋ）と、
前記コンポジット映像信号の前フレームのライン相関を利用して第２の輝度信号と第２の色信号とを抽出するステップ（ｌ）と、
請求項１８から２１のいずれか１つに記載の動き検出方法と、
前記第１の輝度信号と前記第２の輝度信号とを前記動き検出方法のステップ（ｃ）による判定結果に応じて合成して第３の輝度信号として出力し、前記第１の色信号と前記第２の色信号とを前記動き検出方法のステップ（ｃ）による判定結果に応じて合成して第３の色信号として出力するステップ（ｍ）とを備える、
ことを特徴とする輝度信号／色信号分離方法。
【請求項２４】
ライン相関を利用してコンポジット映像信号のノイズを低減するステップ（ｎ）と、
フレーム相関を利用して前記コンポジット映像信号のノイズを低減するステップ（ｏ）と、
請求項１３から２１のいずれか１つに記載の動き検出方法と、
前記ステップ（ｎ）により得られた映像信号と前記ステップ（ｏ）により得られた映像信号とを前記動き検出方法のステップ（ｃ）による判定結果に応じて合成して出力するステップ（ｐ）とを備える、
ことを特徴とするノイズ低減方法。
【請求項２５】
請求項１から９のいずれか１つに記載の動き検出装置、請求項１０または１１に記載の輝度信号／色信号分離装置、請求項１２に記載のノイズ低減装置のうちのいずれか１つを備える、
ことを特徴とする映像表示装置。
【請求項２６】
請求項１３から２１のいずれか１つに記載の動き検出方法、請求項２２または２３に記載の輝度信号／色信号分離方法、請求項２４に記載のノイズ低減方法のうちのいずれか１つを備える、
ことを特徴とする映像表示方法。
【発明の詳細な説明】
【技術分野】
【０００１】
本発明は、映像信号から動き量を検出する装置および方法、この動き検出装置および方法を適用した輝度信号／色信号分離装置および方法，ノイズ低減装置および方法，映像表示装置および方法に関する。
【背景技術】
【０００２】
近年、テレビジョン受像機の大型化・高画質化に伴い、コンポジット映像信号から輝度信号と色信号とを分離する輝度信号／色信号分離装置の高性能化が重要視されてきている。さらに、３次元ＹＣ分離と呼ばれる輝度信号／色信号分離装置では、ライン相関を利用した２次元ＹＣ分離とフレーム相関を利用した３次元ＹＣ分離とを動き検出結果に応じて切り換えており、動き検出回路の高性能化が重要視されている。
【０００３】
以下、従来の動き検出装置および輝度信号／色信号分離装置について説明する。
【０００４】
図２０は、特開平１０−１０８０３９号公報に開示された動き処理回路の構成を示すブロック図である。図２０において、入力されたコンポジット映像信号Ｓ１１００は、現フレーム信号として順次フレームメモリ１１０１と動き検出回路１１０２に供給されており、さらに第１のエッジ検出回路１１０３に与えられている。フレームメモリ１１０１は現フレーム信号を１フレーム期間記憶した後、１フレーム前のフレーム信号Ｓ１１０１を動き検出回路１１０２と第２のエッジ検出回路１１０４に与える。判定回路１１０５は第１のエッジ検出回路１１０３と第２のエッジ検出回路１１０４から入力された論理積をとるＡＮＤ回路より構成されている。判定回路１１０５より出力された信号Ｓ１１０５に従って適応処理回路１１０６は動き信号Ｓ１１０２を減衰させる。
【０００５】
次に、以上のように構成された動き検出装置の動作について説明する。
【０００６】
図２１は、図２０に示した動き処理回路において、入力信号Ｓ１１００にエッジ部分の信号を含んだ信号が入力されており、１フレーム前の信号Ｓ１１０１からエッジ部分が動いている場合を表している。動き検出回路１１０２から出力された動き信号Ｓ１１０２は、エッジ部分が動いていると判断している。第１のエッジ検出回路１１０３および第２のエッジ検出回路１１０４ではそれぞれエッジ検出信号Ｓ１１０３，Ｓ１１０４を検出しているがエッジ部分は重なりがないため判定回路１１０５は、出力する判定信号Ｓ１１０５の値を０としている。判定信号Ｓ１１０５が０の場合は動き信号Ｓ１１０２がそのまま信号Ｓ１１０６として出力されている。
【０００７】
図２２は、図２０に示した動き処理回路において、入力信号Ｓ１１００に斜め成分を含んだ信号が入力された場合を表している。図１２と同様に動き信号Ｓ１１０６が出力される。
【特許文献１】特開平１０−１０８０３９
【発明の開示】
【発明が解決しようとする課題】
【０００８】
しかしながら上述の動き処理回路では、エッジ部分を検出する際、斜め成分が入力されている場合とエッジ部分が入力されている場合との区別ができない。したがって、斜め成分が入力された場合に動き検出結果の動き量を補正あるいは減衰させることができない。
【０００９】
また、上述の動き処理回路を輝度信号／色信号分離装置に適用した場合、ライン相関を利用した２次元ＹＣ分離とフレーム相関を利用したフレーム間ＹＣ分離とを動き処理回路の出力信号に応じて切り換える輝度信号／色信号分離装置では、ライン相関とフレーム相関とを斜め成分量に応じて切り替えることができない。すなわち、斜め成分を含んだ信号のときは動き量を減衰させて「静止」と判定することあるいは動き判定の閾値を変更することができない。したがって、斜め成分が多く含まれた信号が入力された場合、コンポジット映像信号から輝度信号と色信号とを分離する際に輝度成分が色成分に混入して発生するクロスカラーを低減できない。
【００１０】
本発明の目的は、斜め成分を含んだ信号が入力された場合の動き検出精度を向上させることができる動き検出装置および方法を提供することである。
【００１１】
本発明のもう１つの目的は、斜め方向に相関のある輝度信号が入力された場合においても輝度信号成分が色信号成分に漏れ込むことによるクロスカラーを低減できる輝度信号／色信号分離装置および方法を提供することである。
【課題を解決するための手段】
【００１２】
本発明による動き検出装置は、コンポジット映像信号の斜め方向における相関（斜め相関）を検出する斜め相関検出部と、前記コンポジット映像信号のフレーム間差分に基づいて動き量を検出する動き検出部と、前記動き検出部によって検出された動き量に基づいて前記コンポジット映像信号における動きの有無を判定する動き判定部とを備え、前記動き判定部は、前記斜め相関検出部による斜め相関の検出結果を考慮して前記動きの有無を判定する、ことを特徴とする。
【００１３】
好ましくは、前記動き判定部は、前記斜め相関検出部による斜め相関の検出結果に応じたレベルのしきい値を設定し、前記動き検出部によって検出された動き量と前記しきい値とを比較することによって前記動きの有無を判定する。
【００１４】
好ましくは、前記動き判定部は、前記動き検出部によって検出された動き量を前記斜め相関検出部による検出結果に応じて補正し、補正後の動き量と所定のしきい値とを比較することによって前記動きの有無を判定する。
【００１５】
好ましくは、前記動き判定部は、前記動き検出部によって検出された動き量が所定のしきい値よりも大きいときは「動きあり」と判定し、前記動き量が前記所定のしきい値よりも小さいときは前記斜め相関検出部による斜め相関の検出結果に従って動きの有無を判定する。
【００１６】
好ましくは、前記動き検出部は、前記コンポジット映像信号の１フレーム間差分に基づいて動き量を検出する第１の動き検出回路と、前記コンポジット映像信号の２フレーム間差分に基づいて動き量を検出する第２の動き検出回路とを含む。
【００１７】
好ましくは、前記動き検出部は、ライン相関を利用した輝度信号／色信号分離によって前記コンポジット映像信号から抽出された輝度信号の１フレーム間差分に基づいて動き量を検出する第１の動き検出回路と、前記ライン相関を利用した輝度信号／色信号分離によって前記コンポジット映像信号から抽出された色信号の１フレーム間差分に基づいて動き量を検出する第２の動き検出回路とを含む。
【００１８】
好ましくは、前記動き判定部は、前記第１の動き検出回路によって検出された動き量に基づいて前記コンポジット映像信号における動きの有無を判定する第１の動き判定回路と、前記第２の動き検出回路によって検出された動き量に基づいて前記コンポジット映像信号における動きの有無を判定する第２の動き判定回路とを含む。
【００１９】
好ましくは、前記第１および／または第２の動き判定回路は、前記斜め相関検出部による斜め相関の検出結果を考慮して前記動きの有無を判定する。
【００２０】
好ましくは、前記動き判定部は、前記斜め相関検出部による斜め相関の検出結果に応じて第１の判定と第２の判定とを切り換え、前記第１の判定は、前記第１の動き検出回路によって検出された動き量に基づいて前記動きの有無を判定するものであり、前記第２の判定は、前記第１の動き検出回路によって検出された動き量と前記第２の検出回路によって検出された動き量とに基づいて前記動きの有無を判定するものである。
【００２１】
本発明による輝度信号／色信号分離装置は、ライン相関を利用してコンポジット映像信号から第１の輝度信号と第１の色信号とを抽出する第１の輝度信号／色信号分離部と、フレーム相関を利用して前記コンポジット映像信号から第２の輝度信号と第２の色信号とを抽出する第２の輝度信号／色信号分離部と、上述の動き検出装置と、前記第１の輝度信号と前記第２の輝度信号とを前記動き検出装置の動き判定部による判定結果に応じて合成して第３の輝度信号として出力し、前記第１の色信号と前記第２の色信号とを前記動き検出装置の動き判定部による判定結果に応じて合成して第３の色信号として出力する切換部とを備えることを特徴とする。
【００２２】
本発明による別の輝度信号／色信号分離装置は、コンポジット映像信号の現フレームのライン相関を利用して第１の輝度信号と第１の色信号とを抽出する第１の輝度信号／色信号分離部と、前記コンポジット映像信号の前フレームのライン相関を利用して第２の輝度信号と第２の色信号とを抽出する第２の輝度信号／色信号分離部と、上述の動き検出装置と、前記第１の輝度信号と前記第２の輝度信号とを前記動き検出装置の動き判定部による判定結果に応じて合成して第３の輝度信号として出力し、前記第１の色信号と前記第２の色信号とを前記動き検出装置の動き判定部による判定結果に応じて合成して第３の色信号として出力する切換部とを備えることを特徴とする。
【００２３】
本発明によるノイズ低減装置は、ライン相関を利用してコンポジット映像信号のノイズを低減する第１のノイズ低減部と、フレーム相関を利用して前記コンポジット映像信号のノイズを低減する第２のノイズ低減部と、上述の動き検出装置と、前記第１のノイズ低減部により得られた映像信号と前記第２のノイズ低減部により得られた映像信号とを前記動き検出装置の動き判定部による判定結果に応じて合成して出力する切換部とを備えることを特徴とする。
【００２４】
本発明による動き検出方法は、コンポジット映像信号の斜め方向における相関（斜め相関）を検出するステップ（ａ）と、前記コンポジット映像信号のフレーム間差分に基づいて動き量を検出するステップ（ｂ）と、前記ステップ（ｂ）によって検出された動き量に基づいて前記コンポジット映像信号における動きの有無を判定するステップ（ｃ）とを備え、前記ステップ（ｃ）では、前記ステップ（ａ）による斜め相関の検出結果を考慮して前記動きの有無を判定することを特徴とする。
【００２５】
好ましくは、前記ステップ（ｃ）では、前記ステップ（ａ）による斜め相関の検出結果に応じたレベルのしきい値を設定し、前記ステップ（ｂ）によって検出された動き量と前記しきい値とを比較することによって前記動きの有無を判定する。
【００２６】
好ましくは、前記ステップ（ｃ）では、前記ステップ（ｂ）によって検出された動き量を前記ステップ（ａ）による検出結果に応じて補正し、補正後の動き量と所定のしきい値とを比較することによって前記動きの有無を判定する。
【００２７】
好ましくは、前記ステップ（ｃ）では、前記ステップ（ｂ）によって検出された動き量が所定のしきい値よりも大きいときは「動きあり」と判定し、前記動き量が前記所定のしきい値よりも小さいときは前記ステップ（ａ）による斜め相関の検出結果に従って動きの有無を判定する。
【００２８】
好ましくは、前記ステップ（ｂ）は、前記コンポジット映像信号の１フレーム間差分に基づいて動き量を検出するステップ（ｄ）と、前記コンポジット映像信号の２フレーム間差分に基づいて動き量を検出するステップ（ｅ）とを含む。
【００２９】
好ましくは、前記ステップ（ｂ）は、ライン相関を利用した輝度信号／色信号分離によって前記コンポジット映像信号から抽出された輝度信号の１フレーム間差分に基づいて動き量を検出するステップ（ｄ）と、前記ライン相関を利用した輝度信号／色信号分離によって前記コンポジット映像信号から抽出された色信号の１フレーム間差分に基づいて動き量を検出するステップ（ｅ）とを含む。
【００３０】
好ましくは、前記ステップ（ｃ）は、前記ステップ（ｄ）によって検出された動き量に基づいて前記コンポジット映像信号における動きの有無を判定するステップ（ｆ）と、前記ステップ（ｅ）によって検出された動き量に基づいて前記コンポジット映像信号における動きの有無を判定するステップ（ｇ）とを含む。
【００３１】
好ましくは、前記ステップ（ｆ）および／または（ｇ）では、前記ステップ（ａ）による斜め相関の検出結果を考慮して前記動きの有無を判定する。
【００３２】
好ましくは、前記ステップ（ｃ）では、前記ステップ（ａ）による斜め相関の検出結果に応じて第１の判定と第２の判定とを切り換え、前記第１の判定は、前記ステップ（ｄ）によって検出された動き量に基づいて前記動きの有無を判定するものであり、前記第２の判定は、前記ステップ（ｄ）によって検出された動き量と前記ステップ（ｅ）によって検出された動き量とに基づいて前記動きの有無を判定するものである。
【００３３】
本発明による輝度信号／色信号分離方法は、ライン相関を利用してコンポジット映像信号から第１の輝度信号と第１の色信号とを抽出するステップ（ｈ）と、フレーム相関を利用して前記コンポジット映像信号から第２の輝度信号と第２の色信号とを抽出するステップ（ｉ）と、上述の動き検出方法と、前記第１の輝度信号と前記第２の輝度信号とを前記動き検出方法のステップ（ｃ）による判定結果に応じて合成して第３の輝度信号として出力し、前記第１の色信号と前記第２の色信号とを前記動き検出方法のステップ（ｃ）による判定結果に応じて合成して第３の色信号として出力するステップ（ｊ）とを備えることを特徴とする。
【００３４】
本発明による別の輝度信号／色信号分離方法は、コンポジット映像信号の現フレームのライン相関を利用して第１の輝度信号と第１の色信号とを抽出するステップ（ｋ）と、前記コンポジット映像信号の前フレームのライン相関を利用して第２の輝度信号と第２の色信号とを抽出するステップ（ｌ）と、上述の動き検出方法と、前記第１の輝度信号と前記第２の輝度信号とを前記動き検出方法のステップ（ｃ）による判定結果に応じて合成して第３の輝度信号として出力し、前記第１の色信号と前記第２の色信号とを前記動き検出方法のステップ（ｃ）による判定結果に応じて合成して第３の色信号として出力するステップ（ｍ）とを備えることを特徴とする。
【００３５】
本発明によるノイズ低減方法は、ライン相関を利用してコンポジット映像信号のノイズを低減するステップ（ｎ）と、フレーム相関を利用して前記コンポジット映像信号のノイズを低減するステップ（ｏ）と、上述の動き検出方法と、前記ステップ（ｎ）により得られた映像信号と前記ステップ（ｏ）により得られた映像信号とを前記動き検出方法のステップ（ｃ）による判定結果に応じて合成して出力するステップ（ｐ）とを備えることを特徴とする。
【発明の効果】
【００３６】
本発明の動き検出装置・方法では、入力されたコンポジット映像信号の斜め方向の相関を検出し、この検出結果に応じて動き判定を切り換えるため、斜め方向の相関が多い映像信号において動き検出精度を向上させることができる。
【００３７】
また、本発明の動き検出装置・方法を輝度信号／色信号分離装置・方法に用いた場合、斜め相関の検出結果に応じて切り替えられた動き判定に応じてライン間の輝度信号／色信号分離出力とフレーム間の輝度信号／色信号分離出力を切り換えることにより、斜め成分が多く含まれた信号をフレーム相関輝度信号／色信号分離よりに動き判定を行う。したがって、斜め線のような斜め方向の輝度信号成分がライン相関輝度信号／色信号分離部に入力され、ライン相関輝度信号／色信号分離部において正しく分離されず、ライン相関出力色信号に漏れ出したとしても、出力される色信号においてはクロスカラーを低減し画質の改善を図ることができる。
【発明を実施するための最良の形態】
【００３８】
以下、本発明の実施の形態を図面を参照して詳しく説明する。なお、図面において同一部分または相当する部分には同一の符号を付してその説明は繰り返さない。
【００３９】
（第１の実施形態）
＜テレビジョン受像機の全体構成＞
第１の実施形態によるテレビジョン受像機の全体構成を図１に示す。このテレビジョン受像機１０は、地上波チューナ１と、ＡＶスイッチ２と、Ｙ／Ｃ分離装置３と、色復調回路４と、ＲＧＢ変換回路５と、モニター画面６と、オーディオ処理回路７と、音声出力回路８と、スピーカ９とを備える。
【００４０】
地上波チューナ１は、チャンネル毎に割り当てられた放送を受信する。ＡＶスイッチ２は、チューナ１で受信した地上波放送Ｓ１０とビデオカセットレコーダーなどの外部機器から入力された映像信号，音声信号（Ｖｉｄｅｏ入力）とを切り換える。Ｙ／Ｃ分離装置３は、ＡＶスイッチ２より出力されたコンポジット映像信号Ｓ１００を輝度信号Ｓ１０９と色信号Ｓ１１０とに分離する。色復調回路４は、Ｙ／Ｃ分離装置３より出力された色信号Ｓ１１０を色差信号であるＵ信号Ｓ４０ＵおよびＶ信号Ｓ４０Ｖに復調する。ＲＧＢ変換回路５は、Ｙ／Ｃ分離装置３からの輝度信号Ｓ１０９と色復調回路４からのＵ信号Ｓ４０ＵおよびＶ信号Ｓ４０ＶをＲ信号Ｓ５０Ｒ，Ｇ信号Ｓ５０Ｇ，およびＢ信号Ｓ５０Ｂに変換する。モニター画面６は、ＲＧＢ変換回路５より出力されたＲ信号Ｓ５０Ｒ，Ｇ信号Ｓ５０Ｇ，およびＢ信号Ｓ５０Ｂより映像を表示する。オーディオ処理回路７は、ＡＶスイッチ２より出力された音声信号Ｓ１００Ａを処理する。音声出力回路８は、オーディオ処理回路７より出力された音声信号Ｓ７０を増幅してスピーカ９に出力する。スピーカ９は、音声出力回路８より出力された音声信号Ｓ８０を出力する。
【００４１】
＜Ｙ／Ｃ分離装置３の内部構成＞
図１に示したＹ／Ｃ分離装置３の内部構成を図２に示す。このＹ／Ｃ分離装置３は、ラインメモリ１０１，１０２と、ライン相関ＹＣ分離回路１０３と、斜め相関検出回路１０４と、フレームメモリ１０５と、フレーム相関ＹＣ分離回路１０６と、動き検出回路１０７と、動き判定回路１０８と、切換回路１０９，１１０とを備える。
【００４２】
ラインメモリ１０１は、ＡＶスイッチ２（図１参照）からのコンポジット映像信号Ｓ１００を１水平期間遅延させてコンポジット映像信号Ｓ１０１として出力する。ラインメモリ１０２は、ラインメモリ１０１からの信号Ｓ１０１を１水平期間遅延させてコンポジット映像信号Ｓ１０２として出力する。
【００４３】
ライン相関ＹＣ分離回路１０３は、コンポジット映像信号Ｓ１００，Ｓ１０１，Ｓ１０２の間での相関（３ライン間の相関）に基づいて輝度信号Ｓ１０３Ｙと色信号Ｓ１０３Ｃとを抽出する。
【００４４】
斜め相関検出回路１０４は、コンポジット映像信号の輝度信号成分の斜め方向における相関（斜め相関）を検出し、検出した斜め相関に応じた信号Ｓ１０４を出力する。
【００４５】
フレームメモリ１０５は、ラインメモリ１０１からのコンポジット映像信号Ｓ１０１を１フレーム期間遅延させてコンポジット映像信号Ｓ１０５として出力する。
【００４６】
フレーム相関ＹＣ分離回路１０６は、１フレーム間の映像信号Ｓ１０１，Ｓ１０５のフレーム差分およびフレーム加算を利用して輝度信号Ｓ１０６Ｙと色信号Ｓ１０６Ｃとを抽出する。
【００４７】
動き検出回路１０７は、１フレーム間の映像信号Ｓ１０１，Ｓ１０５の差分から映像信号のサンプルごとに動き量を検出し、検出した動き量に応じた信号Ｓ１０７を出力する。
【００４８】
動き判定回路１０８は、斜め相関検出回路１０４からの信号Ｓ１０４と動き検出回路１０７からの信号Ｓ１０７とに基づいてコンポジット映像信号の動きの有無を判定し、判定結果に応じた判定信号Ｓ１０８を出力する。
【００４９】
切換回路１０９は、動き判定回路１０８からの判定信号Ｓ１０８に応じてライン相関ＹＣ分離回路１０３からの輝度信号Ｓ１０３Ｙまたはフレーム相関ＹＣ分離回路１０６からの輝度信号Ｓ１０６Ｙを輝度信号Ｓ１０９として出力する。切換回路１１０は、動き判定回路１０８からの判定信号Ｓ１０８に応じてライン相関ＹＣ分離回路１０３からの色信号Ｓ１０３Ｃまたはフレーム相関ＹＣ分離回路１０６からの色信号Ｓ１０６Ｃを色信号Ｓ１１０として出力する。
【００５０】
＜斜め相関検出回路１０４の内部構成＞
図１に示した斜め相関検出回路１０４の内部構成を図３に示す。斜め相関検出回路１０４は、バンドパスフィルタ２０１，２０２，２０３と、加算器２０４，２０５と、遅延回路２０６，２０７と、減算器２０８，２０９と、絶対値回路２１０，２１１と、比較回路２１２，２１３と、ＯＲ回路２１４とを備える。
【００５１】
バンドパスフィルタ２０１，２０２，２０３は、色副搬送波周波数の３．５８ＭＨｚをセンター周波数とするバンドパスフィルターである。遅延回路２０６，２０７は、色副搬送波周波数の４倍のクロック周波数で加算器２０４，２０５からの信号Ｓ２０４，Ｓ２０５を遅延させる。減算器２０８は、加算器２０４の出力Ｓ２０４から遅延回路２０７の出力Ｓ２０７を減算する。減算器２０９は、加算器２０５の出力Ｓ２０５から遅延回路２０６の出力Ｓ２０６を減算する。絶対値回路２１０は、減算器２０８の出力Ｓ２０８の絶対値をとり信号Ｓ２１０として出力する。絶対値回路２１１は、減算器２０９の出力Ｓ２０９の絶対値をとり信号Ｓ２１１として出力する。比較回路２１２，２１３は、絶対値回路２１０，２１１からの信号Ｓ２１０，Ｓ２１１と基準値Ｓ２００とを比較し比較結果に応じた信号Ｓ２１２，Ｓ２１３を出力する。ＯＲ回路２１４は、比較回路２１２，２１３の出力Ｓ２１２，Ｓ２１３の論理和を出力する。
【００５２】
＜Ｙ／Ｃ分離装置３の動作＞
次に、以上のように構成されたＹ／Ｃ分離装置３の動作について説明する。
【００５３】
入力されたコンポジット映像信号Ｓ１００はラインメモリ１０１，１０２に入力され、１ライン遅延されたコンポジット映像信号Ｓ１０１とさらに１ライン（２ライン）遅延されたコンポジット映像信号Ｓ１０２が得られる。
【００５４】
３ライン間のコンポジット映像信号Ｓ１００，Ｓ１０１，Ｓ１０２はライン相関色分離回路１０３でそれぞれ３．５８ＭＨｚをセンターとした通過周波数帯域のバンドパスフィルターにより帯域制限され、さらに３ライン間の色信号の相関を判定するために多数決もしくは中間値をとることにより、３ライン相関色信号Ｓ１０３Ｃ、３ライン相関輝度信号Ｓ１０３Ｙが得られる。
【００５５】
１ライン遅延されたコンポジット映像信号Ｓ１０１はフレームメモリ１０５に入力され、１フレーム前のコンポジット映像信号Ｓ１０５が得られる。１フレーム期間差を持ったコンポジット映像信号Ｓ１０１，Ｓ１０５をフレーム間ＹＣ分離回路１０６で加算および減算することによりフレーム相関輝度信号Ｓ１０６Ｙとフレーム相関色信号Ｓ１０６Ｃが得られる。
【００５６】
一方、３ライン間のコンポジット映像信号Ｓ１００，Ｓ１０１，Ｓ１０２は斜め相関検出回路１０４に入力される。入力されたコンポジット映像信号Ｓ１００，Ｓ１０１，Ｓ１０２はそれぞれ３．５８ＭＨｚをセンターとした通過周波数帯域のバンドパスフィルターにより帯域制限され、３．５８ＭＨｚを中心に帯域制限された信号Ｓ２０１，Ｓ２０２，Ｓ２０３が得られる。ライン間で色の位相は１８０度反転するため、中央ラインの帯域制限信号Ｓ２０２と１ライン間差がある帯域制限信号Ｓ２０１とを加算器５０４で加算することにより色信号成分は打ち消し合い、帯域制限された輝度成分信号Ｓ２０４が得られる。同様に中央ラインの帯域制限信号Ｓ２０２と１ライン間差がある帯域制限信号Ｓ２０３とを加算器２０５で加算することにより色信号成分は打ち消し合い、帯域制限された輝度成分信号Ｓ２０５が得られる。帯域制限された輝度成分信号Ｓ２０４，Ｓ２０５は遅延回路２０６，２０７によりそれぞれクロック単位で遅延され輝度成分信号Ｓ２０６，Ｓ２０７を得る。帯域制限された輝度成分信号Ｓ２０４と遅延された輝度信号成分信号Ｓ２０７とを減算器２０８で差分をとることにより、斜め方向にずらしたサンプルポイントの差から輝度信号成分の第１の斜め方向の相関値Ｓ２０８が得られる。この第１の相関値Ｓ２０８の絶対値を絶対値回路２１０によって取得し、第１の斜め方向の差分値Ｓ２１０が得られる。第１の斜め方向の差分値Ｓ２１０は斜め成分判定レベルＳ２００と比較され、差分値Ｓ２１０が斜め成分判定レベルＳ２００より小さい時は斜め方向の相関があると判定し、比較回路２１２からは相関ありを示す第１の斜め相関信号Ｓ２１２が出力される。差分値Ｓ２１０が斜め成分判定レベルＳ２００より大きい時は斜め方向の相関が無いと判定し、比較回路２１２からは相関なしを示す第１の斜め相関信号Ｓ２１２が出力される。さらに、上述の斜め成分とは逆向きの成分を検出するために、帯域制限された輝度成分信号Ｓ２０５と遅延された輝度信号成分信号Ｓ２０６とを減算器２０９で差分をとることにより、斜め方向にずらしたサンプルポイントの差から輝度信号成分の斜め方向の相関値Ｓ２０９が得られる。この第２の相関値Ｓ２０９の絶対値を絶対値回路２１１によって取得し、第２の斜め方向の差分値Ｓ２１１が得られる。第２の斜め方向の差分値Ｓ２１１は斜め成分判定レベルＳ２００と比較され、差分値Ｓ２１１が斜め成分判定レベルＳ２００より小さい時は斜め方向の相関があると判定し、比較回路２１３からは相関ありを示す第２の斜め相関信号Ｓ２１２が出力される。差分値Ｓ２１１が斜め成分判定レベルＳ２００より大きい時は斜め方向の相関が無いと判定し、比較回路２１３からは相関なしを示す第２の斜め相関信号Ｓ２１３が出力される。
【００５７】
１フレーム期間差を持ったコンポジット映像信号Ｓ１０１とコンポジット映像信号Ｓ１０５とに基づいて動き検出回路１０７は動き量を検出し、検出した動き量に応じた動き信号Ｓ１０７を出力する。動き判定回路１０８は、斜め相関検出信号Ｓ１０４に応じて動き信号Ｓ１０７と所定のしきい値とを比較し比較結果に応じた判定信号Ｓ１０８を出力する。
【００５８】
動き判定回路１０８の内部構成の一例を図４に示す。この動き判定回路１０８は、セレクタ１０８１と判定部１０８２とを含む。セレクタ１０８１は、斜め相関検出回路１０４からの信号Ｓ１０４に応じてしきい値Ｔｈ１，Ｔｈ２（Ｔｈ１＜Ｔｈ２）を選択的に判定部１０８２に与える。ここでは、斜め相関検出回路１０４において「斜め相関あり」と判定されたときは値「１」の信号Ｓ１０４がセレクタ１０８１与えられ、「斜め相関なし」と判定されたときは値「０」の信号Ｓ１０４がセレクタ１０８１に与えられるものとする。セレクタ１０８１は、信号Ｓ１０４の値が「０」のときはしきい値Ｔｈ１を判定部１０８２に与え、信号Ｓ１０４の値が「１」のときはしきい値Ｔｈ２を判定部１０８２に与える。判定部１０８２は、動き検出回路１０７からの信号Ｓ１０７がセレクタ１０８１からのしきい値よりも大きいときは「動きあり（動画）」と判定し、値「１」の判定信号Ｓ１０８を出力する。一方、信号Ｓ１０７がセレクタ１０８１からのしきい値よりも小さいときは「動きなし（静止画）」と判定し、値「０」の判定信号Ｓ１０８を出力する。動き判定回路１０８は、図５に示すように、「斜め相関あり」のときは動きの有無を判定するためのしきい値を大きくする（ＴＨ１→Ｔｈ２）ことにより、「動きなし（静止画）」と判定される範囲（信号Ｓ１０７のレベルの範囲）を広げている。
【００５９】
動き判定回路１０８からの判定信号Ｓ１０８の値が「１」のとき（すなわち「動きあり（動画）」と判定されたとき）、切換回路１０９はライン相関ＹＣ分離回路１０３からの輝度信号Ｓ１０３Ｙを輝度信号Ｓ１０９として出力し、切換回路１１０はライン相関ＹＣ分離回路１０３からの色信号Ｓ１０３Ｃを色信号Ｓ１１０として出力する。一方、動き判定回路１０８からの判定信号Ｓ１０８の値が「０」のとき（すなわち「動きなし（静止画）」と判定されたとき）、切換回路１０９はフレーム相関ＹＣ分離回路１０６からの輝度信号Ｓ１０６Ｙを輝度信号Ｓ１０９として出力し、切換回路１１０はフレーム相関ＹＣ分離回路１０６からの色信号Ｓ１０６Ｃを色信号Ｓ１１０として出力する。
【００６０】
図６は斜め線が入力された場合の各信号の波形図である。コンポジット映像信号Ｓ１００，Ｓ１０１，Ｓ１０２は斜め線が入力されており、ライン間での相関が低く、ライン間のＹＣ分離を行うと演算誤差が出やすく、クロスカラーが多く発生してしまう。コンポジット映像信号Ｓ１０１と１フレーム前のコンポジット映像信号Ｓ１０５が図６に示したように動いた場合、動き検出回路１０７により動き信号Ｓ１０７が得られる。一方、斜め相関検出回路１０４により、現フレームのコンポジット映像信号Ｓ１００，Ｓ１０１，Ｓ１０２から斜め成分が検出され、斜め成分が検出されている間「斜め相関あり」を示す信号Ｓ１０４が出力される。上述のとおり、「斜め相関あり」のとき（すなわち信号Ｓ１０４が値「１」のとき）動き判定回路１０８は、動きの有無を判定するためのしきい値を大きくし（ＴＨ１→Ｔｈ２）、「動きなし（静止画）」と判定される範囲（信号Ｓ１０７のレベルの範囲）を広げる。このため、斜め成分が検出されている期間  動き判定信号Ｓ１０８は「動きなし（静止画）」を示している。これに応答して切換回路１０９はフレーム相関ＹＣ分離回路１０６からの輝度信号Ｓ１０６Ｙを輝度信号Ｓ１０９として出力し、切換回路１１０はフレーム相関ＹＣ分離回路１０６からの色信号Ｓ１０６Ｃを色信号Ｓ１１０として出力する。このように、斜め成分が入力された場合にはフレーム間でのＹＣ分離に切換ることによりクロスカラーを低減することができる。
【００６１】
＜効果＞
以上のように第１の実施形態では、入力されたコンポジット映像信号の３ライン間の映像信号より輝度信号成分の斜め方向の相関を斜め相関検出回路１０４により検出し、この斜め相関検出回路１０４の検出結果に応じて、動き検出回路１０７の出力信号Ｓ１０７を動き判定回路１０８で静止画よりに動き判定を行う（斜め相関ありのときは動きの有無を判定するためのしきい値を大きくする）。したがって、コンポジット映像信号Ｓ１００，Ｓ１０１，Ｓ１０２における斜め方向の輝度信号成分がライン相関ＹＣ分離回路１０３において正しく分離されずにライン相関出力色信号Ｓ１０３Ｃに漏れ出したとしても、斜め線が入力された場合はフレーム相関ＹＣ分離よりにすることにより、出力される色信号Ｓ１１０においてクロスカラーを低減し、画質の改善を図ることができる。また、斜め成分が入力された場合に動き検出結果が誤検出しにくいようにし、動き検出精度の向上を図ることができる。
【００６２】
＜変形例＞
ここではＹ／Ｃ分離装置３を搭載した機器（映像信号処理装置、映像表示装置）の一例としてテレビジョン受信機を取り上げたが、液晶テレビ，プラズマディスプレイテレビ，有機ＥＬテレビ，ビデオキャプチャーボード機器，パソコン機器，ビデオカセットレコーダなどでもかまわない。
【００６３】
また、切換回路１０９，１１０はライン間演算結果（ライン相関ＹＣ分離回路１０３の出力）とフレーム間演算結果（フレーム間ＹＣ分離回路１０６の出力）を単純に切り換えたが、ライン間の演算結果とフレーム間の演算結果とに重み付けを行い、合成する割合を変えたり、信号比率を変えて加算しても構わない。
【００６４】
また、図４に示した内部構成の動き判定回路１０８に代えて図７に示す内部構成の動き判定回路１０８を用いてもよい。図４に示した構成の動き判定回路１０８では、斜め相関検出回路１０４によって斜め相関ありと判定された場合にしきい値を大きくすることによって動きの有無の判定を静止画よりに設定した。これに対して図７に示す内部構成の動き判定回路１０８では、動き検出回路１０７によって検出される動き量Ｓ１０７を、斜め相関検出回路１０４によって検出される斜め成分量Ｓ２１０，Ｓ２１１に応じて加算器１０８３によって減衰させ、これと固定のしきい値Ｔｈ１とを判定部１０８２によって比較して動きの有無を判定する。
【００６５】
また、図８に示すフローに従って動きの有無を判定する動き判定回路１０８を用いてもよい。図８に示す判定フローでは、まず、動き検出回路１０７によって検出された動き量Ｓ１０７と固定のしきい値Ｔｈ１とを比較する（ＳＴ１０１）。動き量Ｓ１０７がしきい値Ｔｈ１よりも大きいときは「動きあり（動画）」と判定しこれに応じた判定信号Ｓ１０８を出力する。動き量Ｓ１０７がしきい値よりも小さいときは斜め相関の有無に従って動きの有無を判定する（ＳＴ１０２）。斜め相関検出回路１０４によって「斜め相関なし」と判定されたときは「動きあり（動画）」と判定しこれに応じた判定信号Ｓ１０８を出力する。一方、斜め相関検出回路１０４によって「斜め相関あり」と判定されたときは「動きなし（静止画）」と判定しこれに応じた判定信号Ｓ１０８を出力する。
【００６６】
（第２の実施形態）
＜Ｙ／Ｃ分離装置３の内部構成＞
第２の実施形態によるＹ／Ｃ分離装置３の内部構成を図９に示す。このＹ／Ｃ分離装置３は、図１に示した構成要件に加えてさらにフレームメモリ３００と、動き検出回路３０１と、動き判定回路３０２と、合成回路３０３とを備える。フレームメモリ３００は、フレームメモリ１０５からのコンポジット映像信号Ｓ１０５を１フレーム期間遅延させてコンポジット映像信号Ｓ３００として出力する。動き検出回路３００は、２フレーム間の映像信号Ｓ１０１，Ｓ３００の差分から映像信号のサンプルごとに動き量を検出し、検出した動き量に応じた信号Ｓ３０１を出力する。動き判定回路３０２は、動き判定回路１０８と同様に、斜め相関検出回路１０４からの信号Ｓ１０４と動き検出回路３０１からの信号Ｓ３０１とに基づいてコンポジット映像信号の動きの有無を判定し、判定結果に応じた判定信号Ｓ３０２を出力する。合成回路３０３は、動き判定回路１０８からの判定信号Ｓ１０８と動き判定回路３０２からの判定信号Ｓ３０２とを合成（ＯＲ演算）し判定信号Ｓ３０３として出力する。切換回路１０９は、合成回路３０３からの判定信号Ｓ３０３に応じてライン相関ＹＣ分離回路１０３からの輝度信号Ｓ１０３Ｙまたはフレーム相関ＹＣ分離回路１０６からの輝度信号Ｓ１０６Ｙを輝度信号Ｓ１０９として出力する。切換回路１１０は、合成回路３０３からの判定信号Ｓ３０３に応じてライン相関ＹＣ分離回路１０３からの色信号Ｓ１０３Ｃまたはフレーム相関ＹＣ分離回路１０６からの色信号Ｓ１０６Ｃを色信号Ｓ１１０として出力する。
【００６７】
＜Ｙ／Ｃ分離装置３の動作＞
次に、以上のように構成されたＹ／Ｃ分離装置３の動作について説明する。
【００６８】
第１の実施形態と同様、１フレーム期間差を持ったコンポジット映像信号Ｓ１０１とコンポジット映像信号Ｓ１０５とに基づいて動き検出回路１０７は動き量を検出し、検出した動き量に応じた動き信号Ｓ１０７を出力する。動き判定回路１０８は、斜め相関検出信号Ｓ１０４に応じて動き信号Ｓ１０７と所定のしきい値とを比較し比較結果に応じた判定信号Ｓ１０８を出力する。ここでは動き判定回路１０８は図４に示したのと同様の内部構成を有するものとする。図１０に示すように、動き判定回路１０８は、斜め相関検出回路１０４によって斜め相関ありと判定されたときは動き判定用のしきい値を大きく設定し、斜め相関なしと判定されたときは動き判定用のしきい値を小さく設定する（ＳＴ２０１）。次に、設定したしきい値と動き量Ｓ１０７とを比較し、動き量Ｓ１０７がしきい値よりも大きいときは動画と判定し、動き量Ｓ１０７がしきい値よりも小さいときは静止画と判定する（ＳＴ２０２）。このように動き判定回路１０８は、斜め相関が検出された場合は動きを判定する閾値を大きくすることにより、動き判定結果信号Ｓ１０８を静止画よりの判定となるようにする。
【００６９】
一方、２フレーム期間差を持ったコンポジット映像信号Ｓ１０１とコンポジット映像信号Ｓ３００とに基づいて動き検出回路３０１は動き量を検出し、検出した動き量に応じた動き信号Ｓ３０１を出力する。動き判定回路３０２は、斜め相関検出信号Ｓ１０４に応じて動き信号Ｓ３０１と所定のしきい値とを比較し比較結果に応じた判定信号Ｓ３０２を出力する。ここでは動き判定回路３０２は図４に示したのと同様の内部構成を有するものとする。図１０に示すように、動き判定回路３０２は、斜め相関検出回路１０４によって斜め相関ありと判定されたときは動き判定用のしきい値を大きく設定し、斜め相関なしと判定されたときは動き判定用のしきい値を小さく設定する（ＳＴ３０１）。次に、設定したしきい値と動き量Ｓ３０１とを比較し、動き量Ｓ３０１がしきい値よりも大きいときは動画と判定し、動き量Ｓ３０１がしきい値よりも小さいときは静止画と判定する（ＳＴ３０２）。このように動き判定回路３０２は、斜め相関が検出された場合は動きを判定する閾値を大きくすることにより、動き判定結果信号Ｓ３０２を静止画よりの判定となるようにする。
【００７０】
動き判定信号Ｓ１０８，Ｓ３０２は合成回路３０３により組み合わせられ、判定信号Ｓ３０３として切換回路１０９，１１０に与えられる。切換回路１０９は判定信号Ｓ３０３により、ライン間演算の輝度信号Ｓ１０３Ｙとフレーム間演算の輝度信号Ｓ１０６Ｙとを切り換える。切換回路１１０は判定信号Ｓ３０３により、ライン間演算の色信号Ｓ１０３Ｃとフレーム間演算の色信号Ｓ１０６Ｃとを切り換える。
【００７１】
＜効果＞
以上のように第２の実施形態では、入力されたコンポジット映像信号の３ライン間の映像信号Ｓ１００，Ｓ１０１，Ｓ１０２より輝度信号成分の斜め方向の相関を斜め相関検出回路１０４により検出し、この斜め相関検出回路１０４の検出結果に応じて、１フレーム動き検出回路１０７の出力信号Ｓ１０７を１フレーム動き判定回路１０８で静止画よりに動き判定を行うことと、２フレーム動き検出回路３０１の出力信号Ｓ３０１を２フレーム動き判定回路３０２で静止画よりに動き判定を行う。したがって、３ライン相関ＹＣ分離回路１０３に入力する信号Ｓ１００，Ｓ１０１，Ｓ１０２において、斜め方向の輝度信号成分がライン相関ＹＣ分離回路１０３に入力され、ライン相関ＹＣ分離回路１０３において正しく分離されず、ライン相関出力色信号Ｓ１０３Ｃに漏れ出したとしても斜め線が入力された場合はフレーム相関ＹＣ分離よりにすることにより出力される色信号Ｓ１１９においてクロスカラーを低減し、画質の改善を図ることができる。
【００７２】
また、斜め相関検出結果に応じて２フレーム間動き検出結果を静止画よりに補正することにより、１フレーム差分から輝度信号の動き検出の精度を改善させることに加えて２フレーム差分から映像信号の全帯域の動き検出の精度を改善させることができ、斜め成分が入力された場合に動き検出結果が誤検出しにくいようにし、１フレーム差分の輝度信号の動き検出精度向上と２フレーム差分による映像信号の全帯域の動き検出精度の向上を図ることができる。
【００７３】
＜変形例＞
なお、第１の実施形態の変形例において説明したの同様、図４に示した内部構成の動き判定回路１０８，３０２に代えて図７に示す内部構成の動き判定回路１０８，３０２を用いてもよい。
【００７４】
また、図１１に示すフローに従って動きの有無を判定する動き判定回路１０８，３０２を用いてもよい。図１１に示す判定フローでは、まず、動き検出回路１０７，３０１によって検出された動き量Ｓ１０７，Ｓ３０１と固定のしきい値Ｔｈ１とを比較する（ＳＴ１０１，ＳＴ５０１）。動き量Ｓ１０７，Ｓ３０１がしきい値Ｔｈ１よりも大きいときは「動きあり（動画）」と判定しこれに応じた判定信号Ｓ１０８，Ｓ３０２を出力する。動き量Ｓ１０７，ＳＴ３０１がしきい値よりも小さいときは斜め相関の有無に従って動きの有無を判定する（ＳＴ１０２，ＳＴ５０２）。斜め相関検出回路１０４によって「斜め相関なし」と判定されたときは「動きあり（動画）」と判定しこれに応じた判定信号Ｓ１０８，ＳＴ３０２を出力する。一方、斜め相関検出回路１０４によって「斜め相関あり」と判定されたときは「動きなし（静止画）」と判定しこれに応じた判定信号Ｓ１０８，ＳＴ３０２を出力する。
【００７５】
（第３の実施形態）
＜Ｙ／Ｃ分離装置３の内部構成＞
第３の実施形態によるＹ／Ｃ分離装置３の内部構成を図１２に示す。このＹ／Ｃ分離装置３は、図９に示した動き判定回路１０８に代えて動き判定回路３０４を備える。その他の構成は図９に示したＹ／Ｃ分離装置３と同様である。動き判定回路３０４は、動き検出回路１０７によって検出された動き量Ｓ１０７と固定のしきい値とを比較しその結果に応じた判定信号Ｓ３０４を出力する。合成回路３０３は、動き判定回路３０４からの判定信号Ｓ３０４と動き判定回路３０２からの判定信号Ｓ３０２とを合成（ＯＲ演算）し判定信号Ｓ３０３として出力する。
【００７６】
＜Ｙ／Ｃ分離装置３の動作＞
次に、以上のように構成されたＹ／Ｃ分離装置の動作について説明する。
【００７７】
１フレーム遅延されたコンポジット映像信号Ｓ１０５は、さらにフレームメモリ３００により１フレーム遅延させて、２フレーム期間差を持ったコンポジット映像信号Ｓ１０１，Ｓ３００から２フレーム間動き検出回路３０１により動き量を検出し、２フレーム動き信号Ｓ３０１を出力する。２フレーム動き判定回路３０２は、斜め相関検出信号Ｓ１０４に応じて、動き信号Ｓ３０１を減衰あるいは補正させる。斜め成分を検出した場合は動き量を減衰あるいは動きを判定する動きを判定する閾値を大きくすることにより、動き判定結果信号Ｓ３０２を静止画よりの判定となるようにする。切換回路１０９は動き判定結果信号Ｓ３０３に応じて、ライン間演算の輝度信号Ｓ１０３Ｙとフレーム間演算の輝度信号Ｓ１０６Ｙとを切り換える。切換回路１１０は動き判定結果信号Ｓ３０３に応じて、ライン間演算の色信号Ｓ１０３Ｃとフレーム間演算の色信号Ｓ１０６Ｃとを切り換えている。
【００７８】
＜効果＞
この実施の形態によれば、入力されたコンポジット映像信号の３ライン間の映像信号Ｓ１００，Ｓ１０１，Ｓ１０２より輝度信号成分の斜め方向の相関を斜め相関検出回路１０４により検出し、この斜め相関検出回路１０４の検出結果に応じて、２フレーム動き検出回路３０１の出力信号Ｓ３０１を２フレーム動き判定回路３０２で減衰あるいは補正し、静止画よりに動き判定を行うことにより、３ラインＹＣ分離回路１０３に入力する信号Ｓ１００，Ｓ１０１，Ｓ１０２において、斜め方向の輝度信号成分がライン相関ＹＣ分離回路１０３に入力され、ライン相関ＹＣ分離回路１０３において正しく分離されず、ライン相関出力色信号Ｓ１０３Ｃに漏れ出したとしても斜め線が入力された場合はフレーム相関ＹＣ分離よりにすることにより出力される色信号Ｓ１１０においてクロスカラーを低減し、画質の改善を図ることができる。また、斜め相関検出結果に応じて２フレーム間動き検出結果を減衰あるいは補正することにより、２フレーム差分による映像信号の全帯域の動き検出の精度を改善させることができ、斜め成分が入力された場合に動き検出結果が誤検出しにくいようにし、映像信号の全帯域の動き検出精度の向上を図ることができる。
【００７９】
（第４の実施形態）
＜Ｙ／Ｃ分離装置３の内部構成＞
第４の実施形態によるＹ／Ｃ分離装置３の内部構成を図１３に示す。このＹ／Ｃ分離装置３は、図９に示した動き判定回路３０２に代えて動き判定回路３０５を備える。その他の構成は図９に示したＹ／Ｃ分離装置３と同様である。動き判定回路３０５は、動き検出回路３０１によって検出された動き量Ｓ３０１と固定のしきい値とを比較しその結果に応じた判定信号Ｓ３０５を出力する。合成回路３０３は、動き判定回路１０８からの判定信号Ｓ１０８と動き判定回路３０５からの判定信号Ｓ３０５とを合成（ＯＲ演算）し判定信号Ｓ３０３として出力する。
【００８０】
＜Ｙ／Ｃ分離装置３の動作＞
次に、以上のように構成されたＹ／Ｃ分離装置の動作について説明する。
【００８１】
コンポジット映像信号Ｓ１０１は、フレームメモリ１０５により１フレーム遅延させて、１フレーム期間差を持ったコンポジット映像信号Ｓ１０１，Ｓ１０５から１フレーム間動き検出回路１０７により動き量を検出し、１フレーム動き信号Ｓ１０７を出力する。１フレーム動き判定回路１０８は、斜め相関検出信号Ｓ１０４に応じて、動き信号Ｓ１０７を減衰あるいは補正させる。斜め成分を検出した場合は動き量を減衰あるいは動きを判定する閾値を大きくすることにより、動き判定結果信号Ｓ１０８を静止画よりの判定となるようにする。１フレーム遅延されたコンポジット映像信号Ｓ１０５は、さらにフレームメモリ３００により１フレーム遅延させて、２フレーム期間差を持ったコンポジット映像信号Ｓ１０１，Ｓ３００から２フレーム間動き検出回路３０１により動き量を検出し、２フレーム動き信号Ｓ３０１を出力する。１フレーム間動き判定信号Ｓ１０８と２フレーム間動き判定信号Ｓ３０５は合成回路３０３により組み合わせられる。切換回路１０９は動き判定結果信号Ｓ３０３に応じて、ライン間演算の輝度信号Ｓ１０３Ｙとフレーム間演算の輝度信号Ｓ１０６Ｙとを切り換える。切換回路１１０は動き判定結果信号Ｓ３０３に応じて、ライン間演算の色信号Ｓ１０３Ｃとフレーム間演算の色信号Ｓ１０６Ｃとを切り換えている。
【００８２】
＜効果＞
この実施の形態によれば、入力されたコンポジット映像信号の３ライン間の映像信号Ｓ１００，Ｓ１０１，Ｓ１０２より輝度信号成分の斜め方向の相関を斜め相関検出回路１０４により検出し、この斜め相関検出回路１０４の検出結果に応じて、１フレーム動き検出回路１０７の出力信号Ｓ１０７を１フレーム動き判定回路１０８で減衰あるいは補正し、静止画よりに動き判定を行うことにより、３ラインＹＣ分離回路１０３に入力する信号Ｓ１００，Ｓ１０１，Ｓ１０２において、斜め方向の輝度信号成分がライン相関ＹＣ分離回路１０３に入力され、ライン相関ＹＣ分離回路１０３において正しく分離されず、ライン相関出力色信号Ｓ１０３Ｃに漏れ出したとしても斜め線が入力された場合はフレーム相関ＹＣ分離よりにすることにより出力される色信号Ｓ１１０においてクロスカラーを低減し、画質の改善を図ることができる。また、斜め相関検出結果に応じて１フレーム間動き検出結果を減衰あるいは補正することにより、１フレーム差分から輝度信号の動き検出の精度を改善させることができ、斜め成分が入力された場合に動き検出結果が誤検出しにくいようにし、１フレーム差分の輝度信号の動き検出精度向上を図ることができる。
【００８３】
（第５の実施形態）
＜Ｙ／Ｃ分離装置３の内部構成＞
第５の実施形態によるＹ／Ｃ分離装置３の内部構成を図１４に示す。このＹ／Ｃ分離装置３は、図９に示した動き判定回路１０８，３０２および合成回路３０３に代えて動き判定回路３０４，３０５およびセレクタ６０１を備える。その他の構成は図９に示したＹ／Ｃ分離装置３と同様である。動き判定回路３０４，３０５は、動き検出回路１０７，３０１によって検出された動き量Ｓ１０７，Ｓ３０１と固定のしきい値とを比較しその結果に応じた判定信号Ｓ３０４，Ｓ３０５を出力する。セレクタ６０１は、斜め相関検出回路１０４からの信号Ｓ１０４が「斜め相関あり」を示すときは動き判定回路３０４からの判定信号Ｓ３０４を判定信号Ｓ６０１として切換回路１０９，１１０に出力し、斜め相関検出回路１０４からの信号Ｓ１０４が「斜め相関なし」を示すときは動き判定回路３０４からの判定信号Ｓ３０４と動き判定回路３０５からの判定信号Ｓ３０５とを合成（ＯＲ演算）しこれを判定信号Ｓ６０１として切換回路１０９，１１０に出力する。
【００８４】
＜Ｙ／Ｃ分離装置３の動作＞
次に、以上のように構成されたＹ／Ｃ分離装置の動作について説明する。
【００８５】
コンポジット映像信号Ｓ１０１は、フレームメモリ１０５により１フレーム遅延させて、１フレーム期間差を持ったコンポジット映像信号Ｓ１０１，Ｓ１０５から１フレーム間動き検出回路１０７により動き量を検出し、１フレーム動き信号Ｓ１０７を出力する。１フレーム遅延されたコンポジット映像信号Ｓ１０５は、さらにフレームメモリ３００により１フレーム遅延させて、２フレーム期間差を持ったコンポジット映像信号Ｓ１０１，Ｓ３００から２フレーム間動き検出回路３０１により動き量を検出し、２フレーム動き信号Ｓ３０１を出力する。１フレーム間動き判定信号Ｓ３０４と２フレーム間動き判定信号Ｓ３０５はセレクタ６０１により、斜め相関がある場合は１フレーム間動き判定信号Ｓ３０４が判定信号Ｓ６０１として出力され、斜め相関がない場合は１フレーム動き判定信号Ｓ３０４と２フレーム動き判定信号Ｓ３０５との合成信号が判定信号Ｓ６０１として出力される。切換回路１０９は動き判定信号Ｓ６０１に応じて、ライン間演算の輝度信号Ｓ１０３Ｙとフレーム間演算の輝度信号Ｓ１０６Ｙとを切り換える。切換回路１１０は動き判定信号Ｓ６０１に応じて、ライン間演算の色信号Ｓ１０３Ｃとフレーム間演算の色信号Ｓ１０６Ｃとを切り換えている。
【００８６】
＜効果＞
以上のように第５の実施形態では、斜め相関検出回路１０４によって斜め相関ありと判定されたときは動き判定回路３０４の出力信号Ｓ３０４を判定信号Ｓ６０１として切換回路１０９，１１０へ出力し、斜め相関なしと判定されたときは動き判定回路３０４からの判定信号Ｓ３０４と動き判定回路３０５からの判定信号Ｓ３０５とを合成して判定信号Ｓ６０１として切換回路１０９，１１０へ出力する。これによっても第１〜第４の実施形態におけるＹ／Ｃ分離装置と同様の効果が得られる。すなわち、３ラインＹＣ分離回路１０３に入力する信号Ｓ１００、Ｓ１０１、Ｓ１０２において、斜め方向の輝度信号成分がライン相関ＹＣ分離回路１０３に入力され、ライン相関ＹＣ分離回路１０３において正しく分離されずライン相関出力色信号Ｓ１０３Ｃに漏れ出したとしても、斜め線が入力された場合はフレーム相関ＹＣ分離よりにすることにより、出力される色信号Ｓ１１０においてクロスカラーを低減し、画質の改善を図ることができる。
【００８７】
（第６の実施形態）
＜Ｙ／Ｃ分離装置３の内部構成＞
第６の実施形態によるＹ／Ｃ分離装置３の内部構成を図１５に示す。このＹ／Ｃ分離装置３は、ラインメモリ１０１，１０２，７０１，７０２と、フレームメモリ１０５と、ライン相関ＹＣ分離回路１０３，７０３と、フレーム相関ＹＣ分離回路１０６と、斜め相関検出回路１０４と、動き検出回路７０４，７０５と、動き判定回路７０６，７０７と、合成回路７０８と、切換回路１０９，１１０とを備える。
【００８８】
ラインメモリ７０１は、フレームメモリ１０５からのコンポジット映像信号Ｓ１０５を１水平期間遅延させてコンポジット映像信号Ｓ７０１として出力する。ラインメモリ７２０は、ラインメモリ７０１からのコンポジット映像信号Ｓ７０１を１水平期間遅延させてコンポジット映像信号Ｓ７０２として出力する。
【００８９】
ライン相関ＹＣ分離回路７０３は、コンポジット映像信号Ｓ１０５，Ｓ７０１，Ｓ７０２の間での相関（３ライン間の相関）に基づいて輝度信号Ｓ７０３Ｙと色信号Ｓ７０３Ｃとを抽出する。
【００９０】
動き検出回路７０４は、１フレーム間の輝度信号Ｓ１０３Ｙ，Ｓ７０３Ｙの差分から輝度信号のサンプルごとに動き量を検出し、検出した動き量に応じた信号Ｓ７０４を出力する。
【００９１】
動き判定回路７０６は、斜め相関検出回路１０４からの信号Ｓ１０４と動き検出回路７０４からの信号Ｓ７０４とに基づいて輝度信号の動きの有無を判定し、判定結果に応じた判定信号Ｓ７０６を出力する。
【００９２】
動き検出回路７０５は、１フレーム間の色信号Ｓ１０３Ｃ，Ｓ７０３Ｃの差分から色信号のサンプルごとに動き量を検出し、検出した動き量に応じた信号Ｓ７０５を出力する。
【００９３】
動き判定回路７０７は、斜め相関検出回路１０４からの信号Ｓ１０４と動き検出回路７０５からの信号Ｓ７０５とに基づいて色信号の動きの有無を判定し、判定結果に応じた判定信号Ｓ７０７を出力する。
【００９４】
合成回路７０８は、動き判定回路７０６からの判定信号Ｓ７０６と動き判定回路７０７からの判定信号Ｓ７０７とを合成（ＯＲ演算）し判定信号Ｓ７０８として出力する。
【００９５】
切換回路１０９は、合成回路７０８からの判定信号Ｓ７０８に応じてライン相関ＹＣ分離回路１０３からの輝度信号Ｓ１０３Ｙまたはフレーム相関ＹＣ分離回路１０６からの輝度信号Ｓ１０６Ｙを輝度信号Ｓ１０９として出力する。切換回路１１０は、合成回路７０８からの判定信号Ｓ７０８に応じてライン相関ＹＣ分離回路１０３からの色信号Ｓ１０３Ｃまたはフレーム相関ＹＣ分離回路１０６からの色信号Ｓ１０６Ｃを色信号Ｓ１１０として出力する。
【００９６】
＜Ｙ／Ｃ分離装置３の動作＞
次に、以上のように構成されたＹ／Ｃ分離装置の動作について説明する。
【００９７】
入力されたコンポジット映像信号Ｓ１００は、ラインメモリ１０１，１０２によりそれぞれ１ライン，２ライン遅延されたコンポジット映像信号Ｓ１０１，Ｓ１０２を得る。入力されたコンポジット映像信号Ｓ１００は、フレームメモリ１０５により１フレーム遅延させ、さらに、ラインメモリ７０１，７０２により１ライン、２ライン遅延したコンポジット映像信号Ｓ７０１，Ｓ７０２を得る。３ライン間のコンポジット映像信号Ｓ１０５，Ｓ７０１，Ｓ７０２はライン相関ＹＣ分離回路７０３でそれぞれ３．５８ＭＨｚをセンターとした通過周波数帯域のバンドパスフィルターにより帯域制限され、さらに３ライン間の色信号の相関を判定するために多数決もしくは中間値をとることにより、３ライン相関色信号Ｓ７０３Ｃ、３ライン相関輝度信号Ｓ７０３Ｙを得ている。
【００９８】
１フレーム期間差を持った輝度信号Ｓ１０３Ｙ，Ｓ７０３Ｙから動き検出回路７０４により輝度信号の１フレーム間の動き量を検出し、検出した動き量に応じた信号Ｓ７０４が出力される。動き判定回路７０６は、第１の実施形態において説明した動き判定回路１０８と同様の構成・動作をするものであり、斜め相関検出信号Ｓ１０４に応じて動き信号Ｓ７０４を減衰あるいは補正させる。斜め成分を検出した場合は動き量を減衰あるいは動きを判定する閾値を大きくすることにより、動き判定結果信号Ｓ７０６を静止画よりの判定となるようにする。
【００９９】
１フレーム期間差を持った色信号Ｓ１０３Ｃ，Ｓ７０３Ｃから動き検出回路７０５により色信号の１フレーム間の動き量を検出し、検出した動き量に応じた信号Ｓ７０５が出力される。動き判定回路７０７は、第１の実施形態において説明した動き判定回路１０８と同様の構成・動作をするものであり、斜め相関検出信号Ｓ１０４に応じて動き信号Ｓ７０５を減衰あるいは補正させる。斜め成分を検出した場合は動き量を減衰あるいは動きを判定する閾値を大きくすることにより、動き判定結果信号Ｓ７０７を静止画よりの判定となるようにする。
【０１００】
輝度信号の１フレーム間動き判定信号Ｓ７０６と色信号の１フレーム間動き判定信号Ｓ７０７は合成回路７０８により組み合わせられ判定信号Ｓ７０８として出力される。切換回路１０９は判定信号Ｓ７０８に応じてライン間演算の輝度信号Ｓ１０３Ｙとフレーム間演算の輝度信号Ｓ１０６Ｙとを切り換える。切換回路１１０は判定信号Ｓ７０８に応じてライン間演算の色信号Ｓ１０３Ｃとフレーム間演算の色信号Ｓ１０６Ｃとを切り換えている。
【０１０１】
＜効果＞
この実施の形態によれば、入力されたコンポジット映像信号の３ライン間の映像信号より輝度信号成分の斜め方向の相関を斜め相関検出回路１０４により検出し、この斜め相関検出回路１０４の検出結果に応じて、輝度信号の１フレーム動き検出回路７０４の出力信号Ｓ７０４を輝度信号の１フレーム動き判定回路７０６で減衰あるいは補正し、静止画よりに動き判定を行うことと、色信号の１フレーム動き検出回路７０５の出力信号Ｓ７０５を色信号の１フレーム動き判定回路７０７で減衰あるいは補正し、静止画よりに動き判定を行うことにより、３ライン相関ＹＣ分離回路１０３に入力する信号Ｓ１００，Ｓ１０１，Ｓ１０２において、斜め方向の輝度信号成分がライン相関ＹＣ分離回路１０３に入力され、ライン相関ＹＣ分離回路１０３において正しく分離されず、ライン相関出力色信号Ｓ１０３Ｃに漏れ出したとしても、斜め線が入力された場合はフレーム相関ＹＣ分離よりにすることにより、出力される色信号Ｓ１１０においてクロスカラーを低減し、画質の改善を図ることができる。また、斜め相関検出結果に応じて１フレーム間動き検出結果を減衰あるいは補正することにより動き検出の精度を改善させることができ、斜め成分が入力された場合に動き検出結果が誤検出しにくいようにし、１フレーム差分の輝度信号の動き検出精度向上と１フレーム差分による色信号の動き検出精度の向上を図ることができる。
【０１０２】
（第７の実施形態）
＜Ｙ／Ｃ分離装置３の内部構成＞
第７の実施形態によるＹ／Ｃ分離装置３の内部構成を図１６に示す。このＹ／Ｃ分離装置３は、図１５に示した動き判定回路７０７に代えて動き判定回路７０９を備える。その他の構成は図１５に示したＹ／Ｃ分離装置３と同様である。動き判定回路７０９は、動き検出回路７０５によって検出された動き量Ｓ７０５と固定のしきい値とを比較しその結果に応じた判定信号Ｓ７０９を出力する。合成回路７０８は、動き判定回路７０６からの判定信号Ｓ７０６と動き判定回路７０９からの判定信号Ｓ７０９とを合成（ＯＲ演算）し判定信号Ｓ７０８として出力する。
【０１０３】
＜Ｙ／Ｃ分離装置３の動作＞
以上のように構成されたＹ／Ｃ分離装置の動作について説明する。
【０１０４】
１フレーム期間差を持った輝度信号Ｓ１０３Ｙと輝度信号Ｓ７０３Ｙから１フレーム間動き検出回路７０４により動き量を検出し、輝度信号の１フレーム動き信号Ｓ７０４を出力する。１フレーム動き判定回路７０６は、斜め相関検出信号Ｓ１０４に応じて、動き信号Ｓ７０４を減衰あるいは補正させる。斜め成分を検出した場合は動き量を減衰あるいは動きを判定する閾値を大きくすることにより、動き判定結果信号Ｓ７０６を静止画よりの判定となるようにする。
【０１０５】
１フレーム期間差を持った色信号Ｓ１０３Ｃと色信号Ｓ７０３Ｃから色信号の１フレーム間動き検出回路７０５により動き量を検出し、色信号の１フレーム動き信号Ｓ７０５を出力する。動き判定回路７０９は、動き検出回路７０５によって検出された動き量Ｓ７０５と固定のしきい値とを比較しその結果に応じた判定信号Ｓ７０９を出力する。
【０１０６】
輝度信号の１フレーム間動き判定信号Ｓ７０６と色信号の１フレーム間動き判定信号Ｓ７０９は合成回路７０８により組み合わせられる。切換回路１０９は判定信号Ｓ７０８に応じてライン間演算の輝度信号Ｓ１０３Ｙとフレーム間演算の輝度信号Ｓ１０６Ｙとを切り換える。切換回路１１０は判定信号Ｓ７０８に応じてライン間演算の色信号Ｓ１０３Ｃとフレーム間演算の色信号Ｓ１０６Ｃとを切り換えている。
【０１０７】
＜効果＞
この実施の形態によれば、入力されたコンポジット映像信号の３ライン間の映像信号より輝度信号成分の斜め方向の相関を斜め相関検出回路１０４により検出し、この斜め相関検出回路の検出結果に応じて、輝度信号の１フレーム動き検出回路７０４の出力信号Ｓ７０４を輝度信号の１フレーム動き判定回路７０６で減衰あるいは補正し、静止画よりに動き判定を行うことと、色信号の１フレーム動き判定回路７０９の出力信号Ｓ７０９とを用いることにより、３ラインＹＣ分離回路１０３に入力する信号Ｓ１００，Ｓ１０１，Ｓ１０２において、斜め方向の輝度信号成分がライン相関ＹＣ分離回路１０３に入力され、ライン相関ＹＣ分離回路１０３において正しく分離されず、ライン相関出力色信号Ｓ１０３Ｃに漏れ出したとしても、斜め線が入力された場合はフレーム相関ＹＣ分離よりにすることにより出力される色信号Ｓ１１０においてクロスカラーを低減し、画質の改善を図ることができる。また、斜め相関検出結果に応じて輝度信号の１フレーム間動き検出結果を減衰あるいは補正することにより、１フレーム差分から輝度信号の動き検出の精度を改善させることができ、斜め成分が入力された場合に動き検出結果が誤検出しにくいようにし、１フレーム差分の輝度信号の動き検出精度向上を図ることができる。
【０１０８】
（第８の実施形態）
＜Ｙ／Ｃ分離装置３の内部構成＞
第８の実施形態によるＹ／Ｃ分離装置３の内部構成を図１７に示す。このＹ／Ｃ分離装置３は、図１５に示した動き判定回路７０６に代えて動き判定回路７１０を備える。その他の構成は図１５に示したＹ／Ｃ分離装置３と同様である。動き判定回路７１０は、動き検出回路７０４によって検出された動き量Ｓ７０４と固定のしきい値とを比較しその結果に応じた判定信号Ｓ７１０を出力する。合成回路７０８は、動き判定回路７１０からの判定信号Ｓ７１０と動き判定回路７０７からの判定信号Ｓ７０７とを合成（ＯＲ演算）し判定信号Ｓ７０８として出力する。
【０１０９】
＜Ｙ／Ｃ分離装置３の動作＞
以上のように構成されたＹ／Ｃ分離装置の動作について説明する。
【０１１０】
１フレーム期間差を持った輝度信号Ｓ１０３Ｙ，Ｓ７０３Ｙから１フレーム間動き検出回路７０４により動き量を検出し、輝度信号の１フレーム動き信号Ｓ７０４を出力する。動き判定回路７１０は、動き検出回路７０４によって検出された動き量Ｓ７０４と固定のしきい値とを比較しその結果に応じた判定信号Ｓ７１０を出力する。
【０１１１】
１フレーム期間差を持った色信号Ｓ１０３Ｃ，Ｓ７０３Ｃから色信号の１フレーム間動き検出回路７０５により動き量を検出し、色信号の１フレーム動き信号Ｓ７０５を出力する。１フレーム動き判定回路７０７は、斜め相関検出信号Ｓ１０４に応じて、動き信号Ｓ７０５を減衰あるいは補正させる。斜め成分を検出した場合は動き量を減衰あるいは動きを判定する閾値を大きくすることにより、動き判定結果信号Ｓ７０７を静止画よりの判定となるようにする。
【０１１２】
輝度信号の１フレーム間動き判定信号Ｓ７１０と色信号の１フレーム間動き判定信号Ｓ７０７は合成回路７０８により組み合わせられる。切換回路１０９は判定信号Ｓ７０８に応じてライン間演算の輝度信号Ｓ１０３Ｙとフレーム間演算の輝度信号Ｓ１０６Ｙとを切り換える。切換回路１１０は判定信号Ｓ７０８に応じてライン間演算の色信号Ｓ１０３Ｃとフレーム間演算の色信号Ｓ１０６Ｃとを切り換えている。
【０１１３】
＜効果＞
この実施の形態によれば、入力されたコンポジット映像信号の３ライン間の映像信号より輝度信号成分の斜め方向の相関を斜め相関検出回路１０４により検出し、この斜め相関検出回路１０４の検出結果に応じて、色信号の１フレーム動き検出回路７０５の出力信号Ｓ７０５を動き判定回路７０７で減衰あるいは補正し、静止画よりに動き判定を行うことと、輝度信号の１フレーム動き判定回路７１０の出力信号Ｓ７１０とを用いることにより、３ラインＹＣ分離回路１０３に入力する信号Ｓ１００，Ｓ１０１，Ｓ１０２において、斜め方向の輝度信号成分がライン相関ＹＣ分離回路１０３に入力され、ライン相関ＹＣ分離回路１０３において正しく分離されずライン相関出力色信号Ｓ１０３Ｃに漏れ出したとしても、斜め線が入力された場合はフレーム相関ＹＣ分離よりにすることにより、出力される色信号Ｓ１１０においてクロスカラーを低減し、画質の改善を図ることができる。また、斜め相関検出結果に応じて色信号の１フレーム間動き検出結果を減衰あるいは補正することにより、１フレーム差分から色信号の動き検出の精度を改善させることができ、斜め成分が入力された場合に動き検出結果が誤検出しにくいようにし、１フレーム差分による色信号の動き検出精度の向上を図ることができる。
【０１１４】
（第９の実施形態）
＜Ｙ／Ｃ分離装置３の内部構成＞
第９の実施形態によるＹ／Ｃ分離装置３の内部構成を図１８に示す。このＹ／Ｃ分離装置３は、図１５に示した動き判定回路７０６，７０７および合成回路７０８に代えて動き判定回路７１０，７０９およびセレクタ１００１を備える。その他の構成は図１５に示したＹ／Ｃ分離装置３と同様である。動き判定回路７１０，７０９は、動き検出回路７０４，７０５によって検出された動き量Ｓ７０４，Ｓ７０５と固定のしきい値とを比較しその結果に応じた判定信号Ｓ７１０，Ｓ７０９を出力する。セレクタ１００１は、斜め相関検出回路１０４からの信号Ｓ１０４が「斜め相関あり」を示すときは動き判定回路７１０からの判定信号Ｓ７１０を判定信号Ｓ１００１として切換回路１０９，１１０に出力し、斜め相関検出回路１０４からの信号Ｓ１０４が「斜め相関なし」を示すときは動き判定回路７１０からの判定信号Ｓ７１０と動き判定回路７０９からの判定信号Ｓ７０９とを合成（ＯＲ演算）しこれを判定信号Ｓ１００１として切換回路１０９，１１０に出力する。
【０１１５】
＜Ｙ／Ｃ分離装置３の動作＞
以上のように構成されたＹ／Ｃ分離装置の動作について説明する。
【０１１６】
１フレーム期間差を持った輝度信号Ｓ１０３Ｙ，Ｓ７０３Ｙから動き検出回路７０４により動き量を検出し、輝度信号の１フレーム動き信号Ｓ７０４を出力する。動き判定回路７１０は、動き検出回路７０４によって検出された動き量Ｓ７０４と固定のしきい値とを比較しその結果に応じた判定信号Ｓ７１０を出力する。
【０１１７】
１フレーム期間差を持った色信号Ｓ１０３Ｃ，Ｓ７０３Ｃから動き検出回路７０５により動き量を検出し、色信号の１フレーム動き信号Ｓ７０５を出力する。動き判定回路７０９は、動き検出回路７０５によって検出された動き量Ｓ７０５と固定のしきい値とを比較しその結果に応じた判定信号Ｓ７０９を出力する。
【０１１８】
動き判定信号Ｓ７１０，Ｓ７０９はセレクタ１００１により、斜め相関がある場合は動き判定信号Ｓ７１０が判定信号Ｓ１００１として出力され、斜め相関がない場合は動き判定信号Ｓ７１０，Ｓ７０９の合成信号が判定信号Ｓ１００１として出力される。切換回路１０９は動き判定信号Ｓ１００１に応じて、ライン間演算の輝度信号Ｓ１０３Ｙとフレーム間演算の輝度信号Ｓ１０６Ｙとを切り換える。切換回路１１０は動き判定信号Ｓ１００１に応じて、ライン間演算の色信号Ｓ１０３Ｃとフレーム間演算の色信号Ｓ１０６Ｃとを切り換えている。
【０１１９】
＜効果＞
以上のように第９の実施形態では、斜め相関検出回路１０４によって斜め相関ありと判定されたときは動き判定回路７１０の出力信号Ｓ７１０を判定信号Ｓ１００１として切換回路１０９，１１０へ出力し、斜め相関なしと判定されたときは動き判定回路７１０からの判定信号Ｓ７１０と動き判定回路７０９からの判定信号Ｓ７０９とを合成して判定信号Ｓ１００１として切換回路１０９，１１０へ出力する。これによっても第６〜第８の実施形態におけるＹ／Ｃ分離装置と同様の効果が得られる。すなわち、３ラインＹＣ分離回路１０３に入力する信号Ｓ１００，Ｓ１０１，Ｓ１０２において、斜め方向の輝度信号成分がライン相関ＹＣ分離回路１０３に入力され、ライン相関ＹＣ分離回路１０３において正しく分離されずライン相関出力色信号Ｓ１０３Ｃに漏れ出したとしても、斜め線が入力された場合はフレーム相関ＹＣ分離よりにすることにより、出力される色信号Ｓ１１０においてクロスカラーを低減し、画質の改善を図ることができる。
【０１２０】
（第１０の実施形態）
第１０の実施形態によるノイズ低減装置の構成を図１９に示す。このノイズ低減装置は、ラインメモリ１０１，１０２と、フレームメモリ１０５と、ノイズリダクション回路１６０１，１６０２と、斜め相関検出回路１０４と、動き検出回路１０７と、動き判定回路１０８と、切換回路１６０３とを備える。
【０１２１】
以上のように構成されたノイズ低減装置の動作について説明する。
【０１２２】
入力された映像信号Ｓ１００はラインメモリ１０１，１０２により遅延され、ライン間の相関を利用したノイズリダクション回路１６０１に入力される。ノイズリダクション回路１６０１の構成としては、ライン間の信号の差分をとり、基準信号から差分値を減算し、ノイズ成分を低減する方式や、ライン間差の信号を平均化してノイズ成分を低減する方式などがある。また、ノイズリダクション回路１６０２には、１フレーム遅延差を持った信号Ｓ１０１，Ｓ１０５が入力され、フレーム間の相関を利用してノイズを低減する。ノイズリダクション回路１６０２の構成としては、フレーム間の信号の差分値をとり、基準信号から差分値を減算しノイズを低減する方式や、フレーム間差の信号を平均化してノイズ成分を低減する方式などがある。ノイズリダクション回路１６０１の出力Ｓ１６０１とノイズリダクション回路１６０２の出力Ｓ１６０２は動き判定回路１０８の出力信号Ｓ１０８に応じて切り換えられる。切換回路１６０３は、判定信号Ｓ１０８が静止画（動きなし）を示している場合はノイズリダクション回路１６０２の出力信号Ｓ１６０２を選択して信号Ｓ１６０３として出力し、動画（動きあり）を示している場合はノイズリダクション回路１６０１の出力信号Ｓ１６０１を選択して信号Ｓ１６０３として出力する。
【０１２３】
この実施形態によれば、入力された映像信号の３ライン間の映像信号より輝度信号成分の斜め方向の相関を斜め相関検出回路１０４により検出し、この斜め相関検出回路１０４の検出結果に応じて、動き検出回路１０７の出力信号Ｓ１０７を動き判定回路１０８で減衰あるいは補正し、静止画よりに動き判定を行うことにより、斜め線において垂直方向に映像がぼやけるといった画質劣化を抑えつつ、出力される信号Ｓ１６０３において斜め成分を多く含む映像においてノイズを低減することができる。
【０１２４】
なお、本実施形態についても、第１の実施形態を第２〜第９の実施形態に変形したのと同様の変形を行うことができ、それにより第２〜第９の実施形態におけるとの同様の効果が得られる。
【産業上の利用可能性】
【０１２５】
本発明の動き検出装置はＹ／Ｃ分離装置やノイズ低減装置に適用できる。さらには、これらを搭載したテレビジョン受像機，液晶テレビ，プラズマディスプレイテレビ，有機ＥＬテレビ，ビデオキャプチャーボード機器，パソコン機器，ビデオカセットレコーダなどに適用できる。
【図面の簡単な説明】
【０１２６】
【図１】第１の実施形態によるテレビジョン受像機の全体構成を図１に示すブロック図である。
【図２】図１に示したＹ／Ｃ分離装置の内部構成を示すブロック図である。
【図３】図２に示した斜め相関検出回路の内部構成を示すブロック図である。
【図４】図２に示した動き判定回路の内部構成の一例を示すブロック図である。
【図５】図４に示した動き判定回路による動き判定の動作を説明するための図である。
【図６】図２に示したＹＣ分離装置に斜め線が入力された場合の動作を説明するための波形図である。
【図７】図２に示した動き判定回路の内部構成の別の一例を示すブロック図である。
【図８】図２に示した動き判定回路のさらに別の一例による判定処理の流れを示すフローチャートである。
【図９】第２の実施形態によるＹ／Ｃ分離装置の内部構成を示すブロック図である。
【図１０】図９に示した動き判定回路の一例による判定処理の流れを示すフローチャートである。
【図１１】図９に示した動き判定回路の別の一例による判定処理の流れを示すフローチャートである。
【図１２】第３の実施形態によるＹ／Ｃ分離装置の内部構成を示すブロック図である。
【図１３】第４の実施形態によるＹ／Ｃ分離装置の内部構成を示すブロック図である。
【図１４】第５の実施形態によるＹ／Ｃ分離装置の内部構成を示すブロック図である。
【図１５】第６の実施形態によるＹ／Ｃ分離装置の内部構成を示すブロック図である。
【図１６】第７の実施形態によるＹ／Ｃ分離装置の内部構成を示すブロック図である。
【図１７】第８の実施形態によるＹ／Ｃ分離装置の内部構成を示すブロック図である。
【図１８】第９の実施形態によるＹ／Ｃ分離装置の内部構成を示すブロック図である。
【図１９】第１０の実施形態によるノイズ低減装置の構成を示すブロック図である。
【図２０】従来の動き処理回路の構成を示すブロック図である。
【図２１】従来の動き処理装置の動作を説明する波形図である。
【図２２】従来の動き処理装置に斜め線が入力された場合の動作を説明する波形図
【符号の説明】
【０１２７】
１０１，１０２，７０１，７０２  ラインメモリ
１０３，７０３  ライン相関ＹＣ分離回路
１０４  斜め相関検出回路
１０５，３００  フレームメモリ
１０６  フレーム相関ＹＣ分離回路
１０７，３０１，７０４，７０５  動き検出回路
１０９，１１０，１６０３  切換回路
２０１〜２０３  帯域制限フィルタ
２０４，２０５  加算器
２０６，２０７  遅延回路
２０８，２０９  減算回路
２１０，２１１  絶対値回路
２１２，２１３  比較回路
２１４  ＯＲ回路
１０８，３０２，３０４，３０５，７０６，７０７，７０９，７１０  動き判定回路
３０３，７０８  合成回路
６０１，１００１  セレクタ
１６０１，１６０２  ノイズリダクション回路
【図１】
2005057508.tif 000003
【図２】
2005057508.tif 000004
【図３】
2005057508.tif 000005
【図４】
2005057508.tif 000006
【図５】
2005057508.tif 000007
【図６】
2005057508.tif 000008
【図７】
2005057508.tif 000009
【図８】
2005057508.tif 000010
【図９】
2005057508.tif 000011
【図１０】
2005057508.tif 000012
【図１１】
2005057508.tif 000013
【図１２】
2005057508.tif 000014
【図１３】
2005057508.tif 000015
【図１４】
2005057508.tif 000016
【図１５】
2005057508.tif 000017
【図１６】
2005057508.tif 000018
【図１７】
2005057508.tif 000019
【図１８】
2005057508.tif 000020
【図１９】
2005057508.tif 000021
【図２０】
2005057508.tif 000022
【図２１】
2005057508.tif 000023
【図２２】
2005057508.tif 000024